(57)【要約】【課題】  照合単位枚数に応じて取出バックアップの初期位置を設定することによって、取出バックアップの移動距離を少なくし、紙葉類の処理効率を向上する紙葉類処理装置を提供する。【解決手段】  トランスポートコントローラ６５は、紙葉類の照合単位枚数が１０００枚のとき、取出搬送装置１１の最下部に取出バックアップ１０１をセットし、照合単位枚数１００枚のとき、取出搬送装置１１の最上部より若干下方に取出バックアップ１０１をセットする。係員は、この取出バックアップ１０１上に紙葉類束Pを置き、供給開始ボタン３４を押下することで、紙葉類は、取出ローラ１１ａによって取り出され、搬送区分装置１３に受け渡たされる。上記取り出しが終了すると、取出バックアップ１０１は、初期化位置と同じ高さにリンク機構１０２により、繰り出される。【選択図】  図１
2007052595.tif 000002
【特許請求の範囲】
【請求項１】
紙葉類を処理するために一括して積載した紙葉類を１枚ずつ取り出す取出ローラを有する取出搬送装置を搭載した紙葉類処理装置であって、
前記紙葉類を処理して照合する枚数を設定する照合枚数設定手段と、
この照合枚数設定手段によって設定された紙葉類束を一括して積載し、かつ、積載方向に移動して前記紙葉類束の最上位の紙葉類を前記取出ローラによる取り出し位置まで移動可能な取出バックアップ手段と、
前記照合枚数設定手段によって設定された照合枚数によって前記取出バックアップ手段の前記紙葉類束を積載するときの初期位置に設定する制御手段と
を備えたことを特徴とする紙葉類処理装置。
【請求項２】
前記制御手段は、
前記照合枚数設定手段によって設定された前記取出バックアップの初期位置に積載された前記紙葉類束の最上位にある紙葉類から１枚ずつ一定間隔で前記取出ローラによって全て取り出された後、当該取出バックアップを移動して前記照合枚数設定手段によって設定された前記取出バックアップの初期位置に再設定することを特徴とする請求項１記載の紙葉類処理装置。
【請求項３】
前記バックアップの初期位置は、
前記照合枚数設定手段によって設定される照合枚数の少なくとも１００枚、５００枚、１０００枚に対応する３段階の初期位置を備えていることを特徴とする請求項１記載の紙葉類処理装置。
【請求項４】
紙葉類を処理するために一括して積載した紙葉類を１枚ずつ取り出す取出ローラを有する取出搬送装置を搭載した紙葉類処理装置であって、
前記紙葉類を処理して照合する枚数を設定する照合枚数設定手段と、
この照合枚数設定手段によって設定された紙葉類束を一括して積載し、かつ、積載方向に移動して前記紙葉類束の最上位の紙葉類を前記取出ローラによる取り出し位置まで移動可能な取出バックアップ手段と、
前記照合枚数設定手段によって設定された照合枚数によって前記取出バックアップ手段の前記紙葉類束を積載するときの初期位置に設定する制御手段と
前記照合枚数設定手段によって設定された照合枚数に基づいて先に供給した紙葉類の照合を、次に供給された紙葉類の処理中に照合する並列照合手段と
を備えたことを特徴とする紙葉類処理装置。
【発明の詳細な説明】
【技術分野】
【０００１】
本発明は、紙幣など紙葉類を積載する取出バックアップを搭載した紙葉類処理装置に関し、特に取出バックアップを効率よく駆動し紙葉類の処理効率を向上する紙葉類処理装置に関する。
【背景技術】
【０００２】
紙葉類処理システムは、紙葉類の種類・方向・真偽などを検知して、入力された紙葉類の内容・枚数が正しいことを検査する。しかし、その判定が困難である紙葉類（排除券）については、その照合単位毎（例えば、１００枚、５００枚、１０００枚など）に、紙葉類供給部の中の上下移動可能に配置された取出バックアップの上に一括して積載される。このようにして供給された紙葉類の束（以下、紙葉類束と称する。）は、取出バックアップを駆動制御する取出搬送装置の取出ローラによって紙葉類を取り出す取出位置まで移動（この場合上昇）する。
【０００３】
取出ローラは、紙葉類束の最上位の紙葉類から１枚ずつ一定間隔で取り出して搬送路に送り出す。搬送路に送り出された紙葉類は、検査装置によって上述した検査が行われた後区分されて集積、施封される。
【０００４】
以上の処理によって、取出バックアップの上に積載された紙葉類がなくなると、取出バックアップが最下段まで下降し、次の紙葉類束の受け入れが可能になる。従来、以上の照合作業を照合単位毎に繰り返してした。従って、この照合作業の際、確認単位が大きい方が効率がよいので、取出搬送装置への投入可能枚数は大きく設計されている。
【０００５】
一方、例えば、照合単位の小さい１００枚照合を繰り返し行う場合は、取出バックアップが最下断まで降下すると照合の効率が悪いため、各１００枚照合単位の間に区分カードを挿入して、例えば１０００枚になるようにし、この紙葉類束を一括して供給できるようにしていた。（例えば、特許文献１参照。）。
【特許文献１】特開２００２−３５２２９３号公報  （第５頁、図６）
【発明の開示】
【発明が解決しようとする課題】
【０００６】
しかしながら、従来の、取出バックアップを最下段まで降下する方法は、照合単位枚数が小さいと、取出バックアップの移動距離が大きく、紙葉類の処理効率が低下するという問題がある。また、特許文献１記載の方法は、区分カードで区分する必要があり面倒であるという問題があった。
【０００７】
本発明は、上記問題を解決するためになされたもので、照合単位枚数に応じて取出バックアップの初期位置を設定することによって、取出バックアップの移動距離を少なくし、紙葉類の処理効率を向上する紙葉類処理装置を提供する。
【課題を解決するための手段】
【０００８】
前記目的を達成するために、本発明の請求項１記載の紙葉類処理装置は、紙葉類を処理するために一括して積載した紙葉類を１枚ずつ取り出す取出ローラを有する取出搬送装置を搭載した紙葉類処理装置であって、前記紙葉類を処理して照合する枚数を設定する照合枚数設定手段と、この照合枚数設定手段によって設定された紙葉類束を一括して積載し、かつ、積載方向に移動して前記紙葉類束の最上位の紙葉類を前記取出ローラによる取り出し位置まで移動可能な取出バックアップ手段と、前記照合枚数設定手段によって設定された照合枚数によって前記取出バックアップ手段の前記紙葉類束を積載するときの初期位置に設定する制御手段とを備えたことを特徴とする。
【０００９】
また、本発明の請求項４記載の紙葉類処理装置は、紙葉類を処理するために一括して積載した紙葉類を１枚ずつ取り出す取出ローラを有する取出搬送装置を搭載した紙葉類処理装置であって、前記紙葉類を処理して照合する枚数を設定する照合枚数設定手段と、この照合枚数設定手段によって設定された紙葉類束を一括して積載し、かつ、積載方向に移動して前記紙葉類束の最上位の紙葉類を前記取出ローラによる取り出し位置まで移動可能な取出バックアップ手段と、前記照合枚数設定手段によって設定された照合枚数によって前記取出バックアップ手段の前記紙葉類束を積載するときの初期位置に設定する制御手段と前記照合枚数設定手段によって設定された照合枚数に基づいて先に供給した紙葉類の照合を、次に供給された紙葉類の処理中に照合する並列照合手段とを備えたことを特徴とする。
【発明の効果】
【００１０】
本発明によれば、照合単位枚数に応じて取出バックアップの初期位置を設定することができるので、取出バックアップの移動距離を少なくし、紙葉類の処理効率を向上する紙葉類処理装置を提供することができる。
【発明を実施するための最良の形態】
【００１１】
以下、図面を参照して本発明の実施例を説明する。
【実施例】
【００１２】
図１は本発明の実施例による紙葉類処理装置の全体的な構成を示す外観図で、図２は紙葉類処理装置の構成を示す側面断面図である。これらの図に示すように、この紙葉類処理装置１は、紙葉類供給部１０、取出搬送装置１１、搬送区分装置１３、第１集積施封装置１５、第２集積施封装置１７、排除券集積装置１９、裁断装置２１、検査装置２３、表示部２５、操作部２７などを備える。
【００１３】
紙葉類供給部１０、表示部２５、及び操作部２７は係員がこれらをアクセスしやすいように１ヶ所に集めて配置されている。
【００１４】
図３は、紙葉類処理装置１の操作部２７の詳細を示す斜視図である。同図において、扉２９は紙葉類供給部１０を開閉する扉であり、取っ手３０によって手動で開閉することができる。係員は、紙葉類供給部１０の扉２９を開いて、処理する紙葉類の束（以下、紙葉類束と称する。）を入れる。操作部２７は、テンキー３３及び各種操作ボタン３４〜３８などで構成され、さらに図示しないキーボードやマウスなどの接続が可能になっている。操作部２７の上方には排除券集積装置１９が配置されており、係員はその場で排除券集積装置１９から排除券を取り出してその内容を確認することができる。さらに、排除券集積装置１９の上方には表示部２５が配置されており、その表示内容と排除券との照合確認などを効率良く行えるようになっている。
【００１５】
取出搬送装置１１は、紙葉類供給部１０内の櫛歯状の取出バックアップに積載された紙葉類束Pを、上側に持ち上げることにより、紙葉類束Pの最上位にある紙葉類から１枚ずつ一定間隔で連続して取り出し、搬送区分装置１３に受け渡す機構である。
【００１６】
搬送区分装置１３は、取出搬送装置１１より取り出された紙葉類を検査装置２３に搬送し、かつ検査装置２３の検査結果に基づいて紙葉類を第１集積施封装置１５、第２集積施封装置１７、排除券集積装置１９または裁断装置２１の何れかに搬送する装置である。
【００１７】
第１集積施封装置１５及び第２集積施封装置１７はそれぞれ、取出搬送装置１１によって搬送されてきた紙葉類を集積し、１００枚単位で紙帯により施封を行う装置である。第１集積施封装置１５は２つの集積施封ユニット１５ａ，１５ｂで構成され、これらは交互に集積と施封の動作を繰り返す。すなわち、一方の集積施封ユニットは１００枚の紙葉類が集積されると施封動作に移り、その間搬送されてきた紙葉類は他方の集積施封ユニットに集積されるようになっている。第２集積施封装置１７も同様に２つの集積施封ユニット１７ａ，１７ｂで構成されている。
【００１８】
排除券集積装置１９は、搬送区分装置１３によって搬送されてくる排除券を集積する装置である。
【００１９】
裁断装置２１は、搬送区分装置１３によって搬送されてくる損券を細片に裁断する装置である。
【００２０】
検査装置２３は、搬送区分装置１３によって搬送されてくる紙葉類に対して必要な検査を行うものである。この検査によって、紙葉類の券種（額面）、真偽、方向（表裏正逆）、正損等の判別が行われ、紙葉類は正券、損券、偽券、検査不能券に分類・判別される。
【００２１】
「正券」とは、検査の結果正規でかつ有効な券（再利用可）であると判定された券である。「損券」とは、正規の券であるとは認められたが無効な券（再利用不可）であると判定された券である。「偽券」とは、正規のものと認められなかった券である。「検査不能券」とは、例えば重ね取り、スキュー（券の斜行）、ショートピッチ（搬送経路中において前の券との感覚が短すぎて後段の処理が困難となるもの）等の理由により検査が正しく行えなかった券である。偽券と検査不能券を併せて排除券と呼ぶ。
【００２２】
係員は操作部２７を操作しつつ表示部２５の画面上で、運用形態に応じて、前記第１集積施封装置１５及び第２集積施封装置１７に集積される紙葉類の種類を自由に指定することができる。たとえば、第１集積施封装置１５に正券を集積する一方、第２集積施封装置１７に損券を集積し、裁断装置２１を使用しない運用や、第１集積施封装置１５に正券の中で表向きのものを集積する一方、第２集積施封装置１７に正券の中の裏向きのものを集積し、損券を裁断装置２１で裁断する運用などがある。
【００２３】
図４は、この紙葉類処理装置の全体の構成をブロック化して示したものである。同図に示すように、この紙葉類処理装置１は、たとえばＰＣ（パーソナルコンピュータ）等をメインコントローラ６１としてもつ。このメインコントローラ６１には、帳票出力プリンタ６２、表示部２５、操作部２７、キーボード・マウス等の入力装置６３が接続されている。また、メインコントローラ６１にはたとえばＵＳＢ（Universal Serial Bus）ハブ６４などのインターフェースを通じて、紙葉類処理装置１内の各部の制御を行うコントローラであるトランスポートコントローラ６５、バンダーコントローラ６６、検知コントローラ６７が接続されている。
【００２４】
トランスポートコントローラ６５は、メインコントローラ６１による管理のもと、紙葉類供給部１０、取出搬送装置１１、搬送区分装置１３、第１集積施封装置１５、第２集積施封装置１７、排除券集積装置１９、裁断装置２１、ジャーナルプリンタ６８などの制御を行う。
【００２５】
バンダーコントローラ６６は、メインコントローラ６１による管理のもと、第１集積施封装置１５及び第２集積施封装置１７内の集積施封ユニット１５ａ，１５ｂ及び集積施封ユニット１７ａ，１７ｂの制御を行う。
【００２６】
検知コントローラ６７は、メインコントローラ６１による管理のもと、検査装置２３の制御及び検査装置２３で得られた検知データの処理を行う。
【００２７】
さらに、メインコントローラ６１はＬＡＮを通じてネットワークサーバ４１と接続されている。
【００２８】
図５は取出搬送装置１１の動作を説明する図で、図５（１）は正面図で、図５（２）は側面図である。図６は、取出搬送装置１１を操作面の裏側から見た詳細図である。取出搬送装置１１には、後述するモード（MODE)によって設定された紙葉類束Pを一括して積載する取出バックアップ１０１が設けられている。このバックアップに積載された紙葉類束Pは、移動軸１０３に沿って上昇し、取出搬送装置１１の取出ローラ１１ａよって紙葉類束Pの最上位にある紙葉類から1枚ずつ一定間隔で取り出される。
【００２９】
この取出ローラ１１ａには、例えば真空ポンプによる吸引力を使って紙葉類を表面に吸着して取り出す吸着ロータなどが用いられている。
【００３０】
この取出ローラ１１ａによる取り出しが終了すると、取出バックアップ１０１は、上部でリンク機構１０２により取出搬送装置１１の後方に引き抜かれる。図６はまさにこの取出搬送装置１１の後方に引き抜く直前の状態である。この状態から後ろ引き抜き、その後移動軸１０３に沿って、取出搬送装置１１の後方を下方に移動し、最下部において、次の紙葉類束Pを処理すべく取出搬送装置１１の最下部に移動し、この動作を繰り返す。すなわち取出搬送装置１１の側面から見ると取出バックアップ１０１は図示矢印１０４に示すカタカナのロの字を描くように動作する。
【００３１】
次に、図７及び図８を参照して紙葉類処理装置１の動作を照合単位を中心に説明する。図７は、照合単位に基づいて紙葉類束Ｐを紙葉類供給部１０に供給するときの供給位置を示す図で、具体的には、紙葉類を取出搬送装置１１の取出バックアップ１０１に積載されたときの状態を示す。また、図８は、表示部２５に表示されたモード設定画面である。
【００３２】
過不足や偽券の混入が発生した場合に、責任の所在を管理する必要があるが、紙葉類供給部１０に供給する紙葉類の枚数（照合単位）は、運用や処理に対する考え方によって変化する。
【００３３】
例えば、対象となる紙葉類がすべて同じ回収機関より集められたものであり、銀行単位の責任を追及する場合、処理効率を上げる為に、把から施封帯を外した１００枚の紙葉類を１０把分積み重ねて計１０００枚の紙葉類からなる束をつくり、供給する。
【００３４】
対象となる紙葉類がすべて同じ回収機関より集められたものある場合、銀行単位の責任を追及するが、１０００枚に達しない場合、その在り高が照合単位となり、紙葉類供給部１０に供給する。
【００３５】
対象となる紙葉類が異なる回収機関より集められたものである場合、あるいは、個別の１００枚把（通常、この１００枚把の施封帯に担当者を示すサイン等がある）単位での責任を追求する場合、１００枚単位での照合となり、したがって、紙葉類供給部１０に供給する紙葉類の枚数も１００枚となる。
【００３６】
係員は、処理に先立ち、表示部２５に表示されたモード設定画面（MODE  SET）１１０にて、上述した紙葉類の回収機関や運用方法に応じて、キーボード・マウス等の入力装置（照合枚数設定手段）６３を使用して、照合単位枚数設定部（BATCH  SIZE）１１１にて照合単位枚数を設定する。ここで、表示部２５のモード設定画面及びキーボード・マウスなどの入力装置６３は、照合枚数設定手段となる。
【００３７】
図８のモード設定画面に図示した例は、取り扱う紙葉類の種類（以下、券種と称し、DENOMINATIONボックスで指定される。）が２０EUROに指定され、さらに照合単位枚数設定部１１１で１０００枚が指定された場合（１０００枚照合）を示している。
【００３８】
メインコントローラ６１には、この情報が記憶され、ＵＳＢ（Universal Serial Bus）ハブ６４などのインターフェースを通じて、紙葉類処理装置１内の各部の制御を行うコントローラであるトランスポートコントローラ（制御手段）６５に通知される。
【００３９】
係員が操作部２７の初期化ボタンを押すと、トランスポートコントローラ６５は、紙葉類供給部１０、取出搬送装置１１、操作部２７、搬送区分装置１３、第１集積施封装置１５、第２集積施封装置１７、排除券集積装置１９、裁断装置２１の初期化を行い、このとき、取出バックアップ（バックアップ手段）１０１は、照合単位枚数に応じた初期位置に設定される。すなわち照合単位枚数１０００枚のときは、取出搬送装置１１の最下部にセットされ（図７（２）参照）、照合単位枚数１００枚のときは、取出搬送装置１１の最上部より若干下方にセットされる（図７（１）参照）。また、照合単位枚数が５００枚のときは、取出搬送装置１１の概略中央部に設定される。
【００４０】
係員は、この取出バックアップ１０１上に紙葉類束Pを置き、供給開始ボタン３５を押下することで、紙葉類は、取出搬送装置１の取出ローラ１１ａにより取り出され、搬送区分装置１３に受け渡たされる。上記取り出しが終了すると、取出バックアップ１０１は、リンク機構１０２により、初期位置に再セットされ、新たに積載された紙葉類束Ｐを取り出し位置まで上昇し、取出ローラ１１ａによって１枚ずつ取り出される。
【００４１】
以上説明したように本実施例の紙葉類処理装置１によれば、取出搬送装置１１の取出バックアップ１０１は、照合単位枚数に応じた初期位置にセットされるので、取出バックアップ１０１の無駄な移動時間が発生しない。
【００４２】
以上の照合動作は、通常使用される照合動作で、図８に示すVERIFY TYPE（照合タイプ）がNORMALの場合である。一方、同図のPARALLEL（並列照合手段）を選択した場合は、さらに無駄時間の発生を抑えた方法である。以下、照合単位枚数１０００枚の場合を例に説明する。
【００４３】
上記、並列照合手段の場合は、最初の紙葉類１０００枚を紙葉類供給部１０にセットし供給開始ボタン３４を押下する。この操作によって、取出バックアップが上昇し１０００枚の紙葉類は１枚ずつ処理される。
【００４４】
処理が進むと、取出バックアップ１０１が上部に達するため、紙葉類供給部１０の下部に再供給可能なスペースができる。ここで、係員は次の紙葉類１０００枚をセットし、セット確認ボタン３６を押下する。取出バックアップはロの字を描きながら初期位置（この場合、最下部）に達する。
【００４５】
一方、最初の紙葉類１０００枚の処理の結果、例えば２０枚の排除券が排除券集積装置１９に集積されたとする。係員はこの排除券を取り出して確認後、排除券取出確認ボタン３８を押下する。次の紙葉類１０００枚の処理が開始される。係員は、排除券の確認と枚数を数えて、テンキー３３から排除券枚数２０を入力し、照合ボタン３５を押下する。
【００４６】
すなわち、NORMALを選択した場合は、最初の１０００枚の処理が終了すると、排除券をテンキー３３から入力し照合ボタン３５を押下することによって最初の１０００枚の処理が終了してから、次の紙葉類１０００をセットしていた。一方、PARALLELを選択した場合は、最初の１０００枚の処理中に次の１０００枚のセットができ、次の１０００枚の処理中に排除券処理ができるため、操作を連続して行うことができ、無駄時間の発生をさらに抑えることができる。
【００４７】
なお、本発明は、上述の実施例にのみ限定されるものではなく、本発明の要旨を逸脱しない範囲内において種々変更を加え得ることは勿論である。
【００４８】
たとえば、前記の実施例では、紙葉類を処理する装置について説明したが、本発明はその他、種々諸々の紙葉類の処理装置に適用できることは言うまでもない。
【図面の簡単な説明】
【００４９】
【図１】本発明の実施例による紙葉類処理装置の外観図。
【図２】紙葉類処理装置の構成を示す側面断面図。
【図３】紙葉類処理装置の操作部の詳細を示す斜視図。
【図４】紙葉類処理装置の構成を示すブロック図。
【図５】取出搬送装置の動作を説明する正面図及び側面図。
【図６】取出搬送装置の詳細図。
【図７】照合単位に基づいて紙葉類束を紙葉類供給部１０に供給するときの供給位置を示す図。
【図８】表示部に表示されたモード設定画面を示す図。
【符号の説明】
【００５０】
P  紙葉類束
１  紙葉類処理装置
１０  紙葉類供給部
１１  取出搬送装置
１３  搬送区分装置
１５  第1集積施封装置
１７  第２集積施封装置
１９  排除券集積装置
２１  裁断装置
２３  検査装置
２５  表示部
２７  操作部
２９  扉
３３  テンキー
３４  供給開始ボタン
１０１  取出バックアップ
１０２  リンク機構
１０３  移動軸
【図１】
2007052595.tif 000003
【図２】
2007052595.tif 000004
【図３】
2007052595.tif 000005
【図４】
2007052595.tif 000006
【図５】
2007052595.tif 000007
【図６】
2007052595.tif 000008
【図７】
2007052595.tif 000009
【図８】
2007052595.tif 000010